(57)【特許請求の範囲】
【請求項１】
ガスを貯留するガス貯留マスクであって、
第１シートおよび第２シートを含む複数のシートを備え、
上記ガス貯留マスクの外部から供給される上記ガスが、上記複数のシートにより形成される空間内に貯留され、
上記第１シートは、上記第２シートと対向して配置されるとともに、上記ガス貯留マスクを装着した生体の側に位置し、
上記第２シートは、上記第１シートよりもガス透過性が低く、
上記ガスを供給するガス供給経路のガス供給口を上記第１シートと上記第２シートとの間に接続する接続部をさらに備えることを特徴とするガス貯留マスク。
【請求項２】
上記接続部は、上記ガス供給口を上記第１シートの中央部に配置することを特徴とする請求項１に記載のガス貯留マスク。
【請求項３】
上記接続部は、上記ガス供給経路に形成された複数の上記ガス供給口を上記ガス貯留マスクの短辺に沿って配置することを特徴とする請求項１または２に記載のガス貯留マスク。
【請求項４】
上記第１シートには、上記空間内に貯留された上記ガスを上記生体内に供給するための孔が少なくとも１つ形成されていることを特徴とする請求項１から３の何れか一項に記載のガス貯留マスク。
【請求項５】
ガスを貯留するガス貯留マスクであって、 第１シートおよび第２シートと、上記第１シートと上記第２シートとの間に配置された第３シートを含む複数のシートを備え、 上記ガス貯留マスクの外部から供給される上記ガスが、上記複数のシートにより形成される空間内に貯留され、 上記第１シートは、上記第２シートと対向して配置されるとともに、上記ガス貯留マスクを装着した生体の側に位置し、 上記第２シートは、上記第１シートよりもガス透過性が低く、 上記第３シートは、上記第１シートよりもガス透過性が低く、 上記第３シートには、上記第２シートと上記第３シートとの間に貯留された上記ガスを上記第１シートと上記第３シートとの間に導入して上記第１シートを透過させるための孔が形成されていることを特徴とするガス貯留マスク。
【請求項６】
上記第２シートには、上記第１シートを透過して上記空間に貯留する気体を排出するための孔が少なくとも１つ形成されていることを特徴とする請求項１から５の何れか一項に記載のガス貯留マスク。
【請求項７】
上記孔は、上記第２シートの中央部に形成されることを特徴とする請求項６に記載のガス貯留マスク。
【請求項８】
上記孔は、上記第２シートの短辺側に形成されることを特徴とする請求項６に記載のガス貯留マスク。
【請求項９】
上記第１シートにおいて、上記第１シートから上記第２シートへ向かう方向におけるガス透過性は、上記第２シートから上記第１シートへ向かう方向におけるガス透過性よりも低いことを特徴とする請求項１から８の何れか一項に記載のガス貯留マスク。
【請求項１０】
上記ガスは、上記第１シートを透過して、当該第１シートおよび上記第２シートにより形成される空間に貯留されることを特徴とする請求項１または５に記載のガス貯留マスク。
【請求項１１】
上記接続部は、上記ガス供給口を上記第１シートに対向させることを特徴とする請求項１に記載のガス貯留マスク。
【発明の詳細な説明】
【技術分野】
【０００１】
本発明は、ガスを貯留するマスクに関する。特に、簡易に酸素を患者に供給する簡単な構造の酸素加給マスクに係り、呼吸器機能が正常に機能しない軽症から中等症の患者に好適に使用される酸素加給マスクに関する。
【背景技術】
【０００２】
呼吸器疾患、神経筋疾患などにより呼吸器機能が正常に機能しない場合は、マスクや鼻カニューラなどを使用して患者の鼻や口元に酸素を加給することが行われる。より高濃度の酸素を必要とする患者に対してはリザーババックを組み合わる方法、さらに呼吸の補助が必要となる患者に対してはマスクを密着させ陽圧換気を付加することにより強制的に肺を膨らませる方法、などが採用されている。【０００３】
このようなマスクや鼻カニューラは、患者の口、鼻又は口及び鼻に長時間密接又は密着して使用されるために、装着する者に不快感を与えている。この不快感は、リザーババックを組み合わせる方法、陽圧換気を行う方法など治療介入が増えるごとにさらに強くなる。このため、呼吸器機能が正常に機能しない患者に不快感を与えることが少なく、かつ効率的な治療を行うことができるマスクや鼻カニューラなどの酸素加給手段が提案されている。【０００４】
例えば、特許文献１に、従来の硬いマスクシェルは、人の顔の形に追従し難く加給される気体の漏れや人に不快感を与える恐れがあることから、以下の呼吸マスクが提案されている。すなわち、柔軟な呼吸マスクであって、人の顔の部分における呼吸孔の上に嵌められるよう適合される織布、不織布など柔軟な材料から形成され、前記柔軟な材料の少なくとも一部上に延在する不浸透性コーティングを含むマスクシェルと、前記マスクシェルの前記柔軟な材料を通って延在し、前記柔軟な材料に固定され、気体供給ホースに接続することができるホースコネクタと、人の顔の前記部分の上にマスクシェルを固定するための少なくとも１つの取付部材と、を有する呼吸マスクが提案されている。この呼吸マスクは、材料の柔軟な性質のため人の顔の形または大きさにかかわらずその人の顔に従うことができ、材料の浸透性のため吐出された空気の排出ならびに過剰に供給された気体および吐出されたＣＯ２の排出を可能にし、水分を通過可能にするとされる。【０００５】
特許文献２には、鼻孔カニューラは患者の負担が少なく簡易な酸素加給手段であるが、戸外で使用する場合に風などの影響により酸素供給効率が低下する問題があることからこれを解決するため、マスク形状に近づけた鼻孔カニューラが提案されている。すなわち、使用者の外鼻外周面に接し、外鼻を覆うドーム状の隔壁を備えたマスクであり、該隔壁に吸入用ガスを投入する為の吸入用ガス投入ポートを備え、該吸入用ガス投入ポートから使用者の鼻翼部乃至鼻尖部の下方と該隔壁との間に形成される空間部に該吸入用ガスを投入する吸入用ガス投入手段を備えた吸入用ガス供給用マスクが提案されている。【０００６】
特許文献３に、使用者の呼吸に対応して間歇的に陽圧空気を供給する為の呼吸マスクにおいて、鼻長方向の鼻上部から該陽圧空気を供給する陽圧空気供給ポート、鼻孔の下方位置に呼気排出口を有し、かつ該呼気排出口近傍位置に鼻孔方向へ向かって治療用ガスを投入する治療用ガス投入ポートを備えた治療用ガス投入用呼吸マスクが提案されている。この治療用ガス投入用呼吸マスクは、安定した酸素濃度を加給することができ、再呼吸量が少ないとされる。
【先行技術文献】
【特許文献】
【０００７】
【特許文献１】日本国公開特許公報「特表2003-501220号公報（2003年1月14日公表）」
【特許文献２】日本国公開特許公報「特開2007-181661号公報（2007年7月19日公開）」
【特許文献３】日本国公開特許公報「特開2000-225191号公報（2000年8月15日公開）」
【発明の概要】
【発明が解決しようとする課題】
【０００８】
特許文献３に記載の治療用ガス投入用呼吸マスクは、呼吸補助装置を用いて陽圧換気を行う治療に使用される。呼吸器機能が正常に機能しない患者において、このような陽圧換気法を必要とする患者の割合は少ないのに対して、陽圧換気法までは要しない中等症から軽症の患者数は大多数を占めている。そして、このような中等症から軽症の患者が、治療用のマスクの不快感からこれをしばしば自ら外してしまうことが問題になっている。【０００９】
一方、酸素加給機能という観点からは、特許文献２に記載の鼻孔カニューラ（鼻カニュラ）より、特許文献１又は３に記載の鼻及び口から酸素を加給することができる呼吸マスク（酸素加給マスク）が優れている。すなわち、中等症から軽症の患者に対して不快感を与えることが少なく、効率的に酸素を加給することができる酸素加給マスクが提供されるべきであるが、そのような酸素加給マスクの提案は少ない。【００１０】
特許文献１には、中等症から軽症の患者に不快感を与えることが少ないとされる呼吸マスクが提案されている。しかしながら、この呼吸マスクのマスクシェルは、織布、不織布など柔軟で浸透性の材料から形成されるとともに部分的に可撓性のプラスチックによる不浸透性コーティングがされ、呼気、過剰に供給された気体及び水分は前記浸透性部分から排出がされると記載されており、この呼吸マスクは本来的には人の顔に密着させる形態の呼吸マスクであり、織布などの柔軟性を活かした不快感の少ない呼吸マスクであると必ずしもいえない。【００１１】
本発明は、このような従来の問題点及び要請に鑑みてなされたものであって、その目的は、簡易な構成で患者の不快感を低減するガス貯留マスクを提供することを目的とする。
【課題を解決するための手段】
【００１２】
上記の課題を解決するために、本発明の一態様に係るガス貯留マスクは、ガスを貯留するガス貯留マスクであって、複数のシートを備え、上記ガス貯留マスクの外部から供給される上記ガスが、上記複数のシートにより形成される空間内に貯留されることを特徴とする。
【発明の効果】
【００１３】
本発明の一態様によれば、ガス貯留マスクは、当該マスクとユーザの顔との間に適切な湿度を保持し、使用時の口渇による不快感を与えない。このため、ユーザはガス貯留マスクを快適に長時間装着することができ、ガス貯留マスクを用いた療法を長時間行うことが可能となる。
【図面の簡単な説明】
【００１４】
【図１】本発明に係る酸素加給マスクの平面図である。
【図２】図１のAA断面図である。
【図３】実施形態２に係る酸素加給マスクにおいて気体の流れを示す図である。
【図４】実施形態３に係る酸素加給マスクにおいて気体の流れを示す図である。
【図５】実施形態４に係る酸素加給マスクにおいて気体の流れを示す図である。
【図６】実施形態４に係る酸素加給マスクの変形例を示す図である。
【図７】実施形態５に係る酸素加給マスクにおいて気体の流れを示す図である。
【図８】実施形態６に係る酸素加給マスクにおいて気体の流れを示す図である。
【図９】実施形態７に係る酸素加給マスクにおいて気体の流れを示す図である。
【図１０】実施形態８に係る酸素加給マスクにおいて気体の流れを示す図である。
【図１１】上記実施形態におけるガス供給経路のガス供給口を接続する接続部を示す図である。
【図１２】実施形態４に係る酸素加給マスクの使用例を示す図である。
【図１３】（ａ）は従来技術における鼻カニューラの使用例を示す図であり、（ｂ）は従来技術における呼吸マスクの使用例を示す図である。
【図１４】試験の概要を示す図である。
【図１５】評価検体の構成を示す概要図である。
【図１６】図１５に示す評価検体についての測定結果を示すグラフである。
【図１７】（ａ）は、実施形態９に係る酸素加給マスクの装着例を示す図であり、（ｂ）は、実施形態９の変形例である酸素加給マスクの構成を示す図である。
【図１８】（ａ）は、実施形態１０に係る酸素加給マスクの装着例を示す図であり、（ｂ）は、当該酸素加給マスクの構成を示す図である。
【発明を実施するための形態】
【００１５】
〔実施形態１〕
以下、本発明を実施するための形態について図面を基に説明する。図１及び２は、本発明に係る酸素加給マスク（ガス貯留マスク）１の模式図であり、図１は平面図、図２は図１のAA断面を示す断面図である。本発明に係る酸素加給マスク１は、図１に示すように、重ねてなる複数の繊維シート（ガス貯留マスクが備える複数のシートのうちの１つ、第１シート）１２の上面をフィルムシート（ガス貯留マスクが備える複数のシートのうちの１つ、第２シート）１３で覆い、これらの周縁部を接合してなるマスク本体１１と、そのマスク本体１１を身体に取り付ける装着部１５と、繊維シート１２とフィルムシート１３との間に設けられるガス貯留部４に酸素ガス（ガス）を加給するガス管１６と、を有している。そして、ガス貯留部４は、ガス管１６を通じて加給される酸素ガス（酸素加給マスクの外部から供給されるガス）により拡張・形成されてなるものである。
【００１６】
本発明に係る実施形態において繊維シートとは、織布、不織布、不織紙など紡糸や抄紙された樹脂系繊維又はセルロース系繊維を織り、融着あるいは絡めるなどにより形成されたシート状に形成したものをいう。本例の繊維シート１２は、上記の繊維シートを重ねたものであり、表裏を形成する包被材１２１、芯材１２２からなり、酸素加給マスク１が鼻上部に密着するとともに、その形状を保持するための強度部材としての紐材１２５を有している。繊維シート１２は、これを形成する繊維間に適度の隙間を有している。このため、本酸素加給マスク１を装着した患者に以下に説明するガス貯留部４に貯留された酸素を繊維間の隙間を通して容易に供給することができるとともに、ガス貯留部４に貯留された酸素の散逸を防止することができるようになっている。なお、繊維シート１２は、公知のサージカルマスクに使用されるものであって、所用のものを使用することができる。また、紐材１２５は、本酸素加給マスク１の辺縁部に適度に設けることができる。これにより酸素加給マスク１の強度向上を図り、患者の装着感を高めることができる。
【００１７】
フィルムシート１３は、その内部に加給された酸素が保持できるようなポリエチレン樹脂、ポリ塩化ビニル樹脂、ポリアミド樹脂、ポリエチレンテレフタレート樹脂などから形成される。フィルムシート１３は、透明であるのがよい。本酸素加給マスク１のフィルムシート１３が透明であると、これを装着した外観がほとんどサージカルマスクを装着した様子と変わらないという利点がある。
【００１８】
上記の繊維シート１２及びフィルムシート１３は、それらの周縁が接合されて一体になり、マスク本体１１を形成する。マスク本体１１には、繊維シート１２とフィルムシート１３との間に酸素ガスを加給するガス管１６が設けられている。ガス管１６は、マスク本体１１の隅部に管部が接合されてマスク本体１１と一体になり、一端部がマスク本体１１の中央部分に開口している。これにより、効果的にガス貯留部４を形成することができ、また、患者に酸素ガスを効率的に供給することができる。ガス管１６の他方側は、マスク本体１１から延伸し、端部にコネクタ１８を有している。コネクタ１８は、酸素供給装置の酸素供給配管（図示せず）に連結することによりガス管１６に酸素が供給される。
【００１９】
本発明においては、ガス管１６に酸素が供給され、繊維シート１２とフィルムシート１３との間に酸素ガスが加給されると、繊維シート１２とフィルムシート１３とはほとんど重なった状態から図２に示すように次第に離隔して空間が形成され、その空間が拡張する。そして、酸素を貯留することができるガス貯留部４が形成される。すなわち、ガス貯留部４が拡張・形成されるようになる。本酸素加給マスクは、このようにいわばリザーババッグを有する呼吸マスクである。
【００２０】
簡単な構造で酸素をできるだけ多く貯留することができるガス貯留部４を形成するには、プリーツ加工をした繊維シート１２及びフィルムシート１３からガス貯留部４を形成するのがよい。例えば、フィルムシートに施したプリーツのひだ幅寸法又は／及びひだ数を繊維シートに施したプリーツ加工のひだ幅寸法又は／及びひだ数よりも大きくする。このようにして、ガス貯留部４を形成すれば、簡単な構造で、異なる容量の酸素ガスを貯留するリザーババッグを形成することができる。
【００２１】
酸素加給マスク１に供給される酸素ガスは酸素供給装置からガス管１６を通じて供給されるので、ガス管１６は、この所用の大きさと重量を必要とする酸素供給装置との連結が容易で、取り扱い及び使用感のよいものにする必要がある。このために、ガス管１６は、マスク本体１１から延伸し、適度の長さを有するものであるのがよい。例えば、酸素供給装置の酸素供給配管と連結されるコネクタ１８が、頭後あるいは首下にくるような長さのガス管１６にするのがよい。
【００２２】
本例の酸素加給マスク１の装着部１５は、耳かけタイプになっている。この耳かけタイプは、本酸素加給マスク１を通常のサージカルマスクとほとんど同等の感覚で使用することができる利点を有する。しかしながら、酸素加給マスク１のより確実な装着・固定を行うために、頭部及び首部にかけ回すようにすることができる。
【００２３】
以上、本発明に係る酸素加給マスクについて説明した。本酸素加給マスクは、使用感は通常のサージカルマスクに近くて装着の不快感がほとんどない。また、本酸素加給マスクは、呼気がほとんどサージカルマスクと同様にできる利点を有す。そして、呼気の間に供給される酸素はリザーババッグの作用をするガス貯留部に貯留されるので、吸気の際に十分の酸素を加給することができる利点を有する。
【００２４】
（実施例１）
本発明に係る酸素加給マスクの効果及び使用感を調べるための試験を行った。試験は、試験者10名に、図１に示す酸素加給マスク１と市販に係るサージカルマスクとをそれぞれ装着させ、装着した際の酸素3リットル/分投与下における安静呼吸時の呼気終末酸素濃度（%）、呼気終末二酸化炭素分圧（mmHg）および装着時の不快感（Visual analog scaleを用いて0〜100で評価）を比較した。統計学的検定はMann-WhitneyのU検定を用い、P<0.05を有意とした。
【００２５】
装着試験の結果は以下の通りであった。上段の数値が本発明に係る酸素加給マスクを装着した場合（発明例）で、下段の数値がサージカルマスクを装着した場合（比較例）である。呼気終末酸素濃度は33±5％／28±3％、呼気終末二酸化炭素分圧は、32±4mmHg／30±6mmHg、装着時の不快感はそれぞれ14±9／34±15であった。上記結果によると、発明例の効果が明確に示されている。発明例の呼気終末酸素濃度は33%であるのに対し、比較例の呼気終末酸素濃度は28%である。不快感の程度は、発明例が16であるのに対し、比較例は34であり、発明例の不快感の程度は比較例の不快感の程度の半分以下である。これらの試験結果によると、発明例は使用感に優れており長時間の使用が可能で、機能上の効果も優れていることが分かる。また、上記結果によれば、本酸素加給マスクは、非常用の酸素加給マスクとして、例えば、航空機に整備される酸素加給マスクとして使用することも可能である。
【００２６】
〔実施形態２〕
以下、本発明の他の実施形態について、詳細に説明する。なお、以下の特定の項目（実施形態）における構成について、それが他の項目で説明されている構成と同じ場合、その説明を省略する場合がある。また、説明の便宜上、各項目に示した部材と同一の機能を有する部材については、同一の符号を付し、適宜その説明を省略する。
【００２７】
（要部構成）
図３の（ａ）〜（ｃ）は、実施形態２に係る酸素加給マスク１ａにおいて気体の流れを示す図である。図３の（ｂ）および（ｃ）に示すように、実施形態２における酸素加給マスク（ガス貯留マスク）１ａは、第１シート（ガス貯留マスクが備える複数のシートのうちの１つ）２および第２シート（ガス貯留マスクが備える複数のシートのうちの１つ）３を備えている構成である。実施形態２は、第１シート２が繊維シート１２に限定されない点、および第２シート３がフィルムシート１３に限定されない点で実施形態１と異なる。
【００２８】
第１シート２は、所定のガス透過性を有するシートであり、第２シート３は、第１シート２よりもガス透過性が低いシートである。なお、ガス透過性とは、気体を透過させる性質であり、第１シートが有する所定のガス透過性は、不織布などからなるマスクのガス透過性と同等であることとする。
【００２９】
例えば、第１シート２は、第２シート３よりも高いガス透過性を有するシートであれば、繊維シート１２であってもよいし、繊維シート１２を複数枚重ねて形成されたものであってもよいし、多孔性材質（料）であってもよい。また、例えば、第２シート３は、フィルムシート１３であってもよいし、繊維シート１２を複数枚重ねて形成されたものであってもよいし、第１シート２と同等のガス透過性を有するシートを複数枚重ねて形成されたものであってもよい。
【００３０】
図３の（ａ）に示すように、酸素加給マスク１ａは、酸素加給マスク１ａの外部から酸素（ガス）が供給される構成である。具体的には、ガスを供給するガス供給経路５が、第１シート２と第２シート３との間に配置され、ガス供給経路５のガス供給口６が、酸素加給マスク１ａの中央部に配置されている。
【００３１】
酸素加給マスク１ａの外部から供給される酸素（ガス）は、ガス供給経路５を通り、ガス供給口６から酸素加給マスク１ａの中央部に供給される。そして、酸素加給マスク１ａを装着しているユーザの呼気は、酸素加給マスク１ａの周縁部から外部に排出される。
【００３２】
なお、以下ではガス供給経路５を通過するガス（酸素加給マスク１ａの外部から供給されるガス）を酸素として説明するがこれに限定されない。例えば、ガス供給経路５を通過するガスは、ヘリウムを含んでいてもよいし、麻酔薬を含む気体であってもよいし、ユーザの治療に必要な薬剤を含む気体であってもよい。
【００３３】
（気体の流れ）
図３の（ｂ）を用いて吸気時の気体の流れを説明する。酸素加給マスク１ａに酸素が供給されると、図示のように第１シート２と第２シート３との間（複数のシートにより形成された空間内）に酸素が貯留し、ガス貯留部４が形成される。このため、酸素加給マスク１ａを装着したユーザが息を吸うと、ガス貯留部４内に貯留した酸素が、ユーザの吸気の吸引力により第１シート２を透過してユーザの体内に供給される。
【００３４】
なお、ユーザの吸気には、酸素加給マスク１ａの外部にある空気（外気）が含まれていてもよい。また、ユーザが酸素加給マスク１ａを装着した場合、ユーザの顔と酸素加給マスク１ａとの間に生じる空間（複数のシートにより形成された空間）にも、ガス供給口６から供給される酸素が貯留してもよい。
【００３５】
図３の（ｃ）を用いて呼気時の気体の流れを説明する。酸素加給マスク１ａを装着したユーザが息を吐くと、ユーザの呼気は、第１シート２に当たり、ユーザの顔と酸素加給マスク１ａとの間に生じる隙間から酸素加給マスク１ａの外部に排出される。
【００３６】
すなわち、ガス貯留部４には酸素が供給され続けているため、ガス貯留部４内の気圧が増加し、ガス貯留部４内の酸素は、第１シート２を透過してガス貯留部４の外へ漏出しようとする。一方、ユーザの呼気は、第１シート２に対してガス貯留部４外から吹き付けられる。このように、ガス貯留部４内の気圧の方向は、ユーザの呼気がガス貯留部４に対して加える圧力の方向と対向する。このため、ユーザの呼気が、第１シート２を透過してガス貯留部４内の気体と混合することが防止される。さらには、ガス貯留部４に貯留された酸素が、第１シート２を透過してガス貯留部４の外に漏出することが防止される。それゆえ、ガス貯留部４内の酸素濃度が、ユーザの呼気および酸素の漏出により低下するということを防止できる。
【００３７】
以上により、第１シート２は所定のガス透過性を有するため、酸素加給マスク１ａは、酸素加給マスク１ａを装着したユーザが呼吸した場合、ユーザの吸気時においてガス貯留部４内の酸素をユーザに供給させ易いものとなる。そして、酸素加給マスク１ａは、上述した通り、酸素加給マスク１ａを装着したユーザの呼気時において、ユーザの呼気をガス貯留部４の外から内に透過させ難いものとなるとともに、ガス貯留部４内の酸素をガス貯留部４の外に漏出させ難いものとなっている。
【００３８】
（湿度）
酸素加給マスク１ａが備える第１シート２および第２シート３は、柔軟性を有するシートである。このため、ユーザが酸素加給マスク１ａを装着した場合、ユーザの顔と酸素加給マスク１ａとの間に空間が生じる構成となる。このような空間が生じることにより、酸素加給マスク１ａは、湿度についての不快感をユーザに与えることがない。
【００３９】
より具体的には、図３の（ｃ）に示すように、ユーザの呼気の大半は、酸素加給マスク１ａの外部に排出される一方、ユーザの呼気の一部は、ユーザの顔と酸素加給マスク１ａとの間の空間に滞留する。そして、図３の（ｂ）に示すように、ユーザの吸気は、ガス貯留部４内に貯留する酸素だけでなく、当該空間に滞留するユーザの呼気を含む。
【００４０】
ユーザの呼気は、ガス貯留部４内の気体よりも二酸化炭素を多く含む一方、ガス貯留部４内の気体よりも高い湿度を有する。このため、ユーザが息を吐いた後における吸気は、当該ユーザの呼気を含むことにより適切な湿度を保持することが可能となる。それゆえ、ユーザの口腔内が、酸素加給マスク１ａの外部から供給される酸素により過度に乾燥するということが防止される。
【００４１】
また、第１シート２および第２シート３は柔軟性を有するシートであるため、ユーザの呼気時における酸素加給マスク１ａは、ユーザの顔と酸素加給マスク１ａとの間に隙間が生じる構成となる。このため、ユーザの呼気は、当該隙間から酸素加給マスク１ａの外部へ排出される。それゆえ、酸素加給マスク１ａで覆われるユーザの顔と酸素加給マスク１ａとの間の空間における気体の湿度は、ユーザの呼気により過度に上昇することが防止される。
【００４２】
以上により、ユーザの吸気について適正な湿度が保持されるとともに、酸素加給マスク１ａで覆われるユーザの顔と酸素加給マスク１ａとの間の空間において適正な湿度が保持されることが可能となる。それゆえ、酸素加給マスク１ａは、快適な状態でユーザに長時間装着されることが可能となる。
【００４３】
（第１シート２の変形例）
第１シート２において、第１シート２から第２シート３へ向かう方向におけるガス透過性は、第２シート３から第１シート２へ向かう方向におけるガス透過性よりも低くてもよい。例えば、第１シート２に円錐形マイクロポアを複数施すことにより実現される。円錐形マイクロポアの径は、第１シート２においてガス貯留部４側の面から当該面と対向する面（ユーザ側の面）に近づくにつれて、小さくなるように施される。
【００４４】
このような円錐形マイクロポアが第１シート２に複数施されることにより、第１シート２は、ガス貯留部４内の酸素をガス貯留部４の外へ透過させ易く、ユーザの呼気をガス貯留部４の外から内に透過させ難いものとなる。それゆえ、酸素加給マスク１ａを用いた酸素療法を効率的に行うことが可能となる。
【００４５】
〔実施形態３〕
図４の（ａ）〜（ｃ）は、実施形態３に係る酸素加給マスク１ｂにおいて気体の流れを示す図である。図４の（ｂ）および（ｃ）に示すように、実施形態３における酸素加給マスク（ガス貯留マスク）１ｂは、実施形態２の構成に加えて、第３シート７を備えている構成である。第３シート７は、第１シート２よりもガス透過性が低いシートであり、例えば、第２シート３と同一のガス透過性を有するものである。第３シート７には、孔７１が形成されている。
【００４６】
（要部構成）
図４の（ｂ）に示すように、第３シート７は、第１シート２と第２シート３との間に配置され、第３シート７の中央部には、ガス貯留部４内の酸素（ガス）をユーザに提供するための孔７１が形成されている。ガス供給経路５は、第２シート３と第３シート７との間に配置され、ガス供給口６は、第３シート７に形成された孔８の付近に配置されている。
【００４７】
図４の（ａ）に示すように、ガス供給経路５を通る酸素は、ガス供給経路５を通り、ガス供給口６から酸素加給マスク１ｂに供給される。そして、酸素加給マスク１ｂを装着しているユーザの呼気は、酸素加給マスク１ｂの周縁部から外部に排出される。
【００４８】
（気体の流れ）
図４の（ｂ）を用いて吸気時の気体の流れを説明する。図示のように、酸素加給マスク１ｂに酸素が供給されると、第２シート３と第３シート７との間に酸素が貯留し、ガス貯留部４が形成される。このため、酸素加給マスク１ｂを装着しているユーザが息を吸うと、ガス貯留部４内に貯留している酸素が、孔７１を通過し第１シート２を透過して当該ユーザの体内に供給される。なお、当該ユーザの吸気には、ガス貯留部４内の酸素だけでなく、酸素加給マスク１ｂの外部にある空気（外気）が含まれていてもよい。
【００４９】
図４の（ｃ）を用いて呼気時の気体の流れを説明する。酸素加給マスク１ｂを装着したユーザが息を吐くと、当該ユーザの呼気は、第１シート２に当たり、酸素加給マスク１ｂの外部に排出される。
【００５０】
すなわち、ガス貯留部４には酸素が供給され続けているため、ガス貯留部４内の気圧が増加し、ガス貯留部４内の気体は、孔７１を通過しさらに第１シート２を透過してガス貯留部４の外へ漏出しようとする。一方、ユーザの呼気は、第１シート２に対してガス貯留部４外から吹き付けられる。このように、孔７１において、ガス貯留部４内の気圧の方向は、ユーザの呼気がガス貯留部４に対して加える圧力の方向と対向する。このため、ガス貯留部４に貯留された酸素は、孔７１を通ってガス貯留部４の外にさほど漏出しない。
【００５１】
また、実施形態３の酸素加給マスク１ｂは、孔７１が形成された第３シート７と、第１シートとでガス貯留部４を形成する構成である。このため、実施形態３の酸素加給マスク１ｂにおいて孔７１を介して第１シート２におよぼすガス貯留部４内の気圧は、実施形態２の酸素加給マスク１ａにおいて第１シートにおよぼすガス貯留部４内の気圧よりも高くなる。それゆえ、ユーザの呼気が第１シート２を透過し孔７１を通過してガス貯留部４内の気体と混合する量を、実施形態２と比較して、さらに低減することが可能となる。
【００５２】
また、ガス供給口６から供給される酸素は、第１シート２よりもガス透過性の低い第３シート７および第２シート３により形成される空間に貯留する。このため、ガス貯留部４に貯留された酸素が、第１シート２を透過してガス貯留部４の外に漏出することが防止される。また、ユーザの呼気が、第１シート２および第３シート７を透過してガス貯留部４内の気体と混合することも防止される。それゆえ、ガス貯留部４内の酸素濃度が、ユーザの呼気および酸素の漏出により低下するということを防止できる。
【００５３】
（変形例）
図４に示す酸素加給マスク（ガス貯留マスク）１ｂは、上記第１シート２に、ガス貯留部４内に貯留された上記酸素を上記ユーザ（生体内）に供給するための孔（不図示）が少なくとも１つ形成される構成であってもよい。例えば、第１シート２に形成される孔は、第３シート７に形成された孔７１と同様の形状である。なお、この構成の場合、酸素加給マスク１ｂが第３シート７を備えていることは任意とする。また、第１シート２のガス透過性も任意とし、例えば第２シート３のガス透過性よりも低くてもよい。
【００５４】
上記の構成によれば、第１シート２に孔が形成されているため、ガス貯留部４内に酸素が供給された場合、ガス貯留部４内に酸素が貯留し、ガス貯留部４内の酸素は、第１シート２に形成された孔を通過してガス貯留部４の外へ漏出しようとする。それゆえ、酸素加給マスク１ｂは、酸素加給マスク１ｂを装着したユーザに酸素をさらに容易に提供することできる。また、酸素加給マスク１ｂを装着したユーザの呼気の方向は、ガス貯留部４内の酸素が漏出する方向と対向する。このため、ユーザの呼気が第１シート２に形成された孔を通過してガス貯留部４内の気体と混合することを確実に防止できる。
【００５５】
〔実施形態４〕
図５の（ａ）〜（ｃ）は、実施形態４に係る酸素加給マスク１ｃにおいて気体の流れを示す図である。実施形態４における酸素加給マスク（ガス貯留マスク）１ｃは、第２シート３ａに複数の孔８が形成されている点、およびガス供給経路５ａに複数のガス供給口６が形成されている点で実施形態２における酸素加給マスク１ａと異なる構成である。
【００５６】
（要部構成）
図５の（ａ）に示すように、ガス供給経路５ａは、第１シート２と第２シート３ａとの間に配置され、酸素加給マスク１ｃの一短辺側に配置されている。第１シート２と第２シート３ａとの間に配置されたガス供給経路５ａの部位には、ガス供給口６が複数形成されている。また、第２シート３ａには、ユーザの呼気を排出するための孔８が複数形成されている。複数の孔８は、酸素加給マスク１ｃにガス供給経路５ａが配置されている側の一短辺と対向する一短辺の側に形成されている。
【００５７】
ガス供給経路５ａを通る酸素は、複数のガス供給口６から酸素加給マスク１ｃに供給される。そして、酸素加給マスク１ｃを装着したユーザの呼気は、複数の孔８を通って酸素加給マスク１ｃの外部に排出される。
【００５８】
（気体の流れ）
図５の（ｂ）は、吸気時の気体の流れを示す図である。酸素加給マスク１ｃに酸素が供給されると、図５の（ｂ）に示すように第１シート２と第２シート３ａとの間に酸素が貯留し、ガス貯留部４が形成される。このため、酸素加給マスク１ｃを装着したユーザが息を吸うと、ガス貯留部４内に貯留した酸素が、第１シート２を透過して当該ユーザの体内に供給される。なお、当該ユーザの吸気には、ガス貯留部４内の酸素だけでなく、酸素加給マスク１ｂの外部にある空気（外気）が含まれていてもよい。
【００５９】
図５の（ｃ）は、呼気時の気体の流れを示す図である。酸素加給マスク１ｃを装着したユーザが息を吐くと、当該ユーザの呼気の一部は、第１シート２に当たり、酸素加給マスク１ｃの外部に排出される。また、当該ユーザの呼気には、第１シート２を透過してガス貯留部４内に入り、さらに複数の孔８を通って酸素加給マスク１ｃの外部に排出されるものもある。このため、酸素加給マスク１ｃの外部に排出されるユーザの呼気の量は、実施形態２および実施形態３と比較してより多くなる。それゆえ、酸素加給マスク１ｃ内の二酸化炭素の濃度の上昇を低減することが可能となる。
【００６０】
また、図５の（ｃ）に示すように、ユーザの呼気の一部が第１シート２を透過して第２シート３ａに形成された孔８を通ってガス貯留部４外に排出されるという流れが生じる。この呼気の流れにより、ガス貯留部４内の気体は、孔８が形成されている側から遠ざかる方向に流れていき、孔８を通ってガス貯留部４外に漏出し難くなる。それゆえ、呼気時におけるガス貯留部４内の気体について酸素濃度の低下を防止することが可能となる。
【００６１】
（変形例）
次に、実施形態４の変形例について説明する。図６は、酸素加給マスク（ガス貯留マスク）１ｄにおける気体の流れの概要を示す図である。酸素加給マスク１ｄは、第２シート３ｂにおいて互いに対向する２つの短辺のそれぞれに複数の孔８が形成されている点で、実施形態４における酸素加給マスク１ｃと異なる。また、ガス供給口６は、ガス供給経路５の端部に形成されており、酸素加給マスク１ｄの中央部に配置されている。
【００６２】
図６に示すように、ガス供給経路５を通る酸素は、ガス供給口６から酸素加給マスク１ｄに供給される。そして、酸素加給マスク１ｄを装着したユーザの呼気は、酸素加給マスク１ｄにおいて２つの短辺に形成された複数の孔８を通って酸素加給マスク１ｄの外部に排出される。このため、酸素加給マスク１ｄの外部に排出されるユーザの呼気の量は、図５の（ａ）に示す酸素加給マスク１ｃと比較して、より多くなる。それゆえ、酸素加給マスク１ｄ内の二酸化炭素の濃度の上昇を防止することが可能となる。
【００６３】
〔実施形態５〕
図７の（ａ）〜（ｃ）は、実施形態５に係る酸素加給マスク（ガス貯留マスク）１ｅにおいて気体の流れを示す図である。実施形態５における酸素加給マスク１ｅは、ユーザの呼気を排出するための孔８ａが第２シート３ｃの中央部に形成されている点で実施形態４における酸素加給マスク１ｃと異なる構成である。
【００６４】
（要部構成）
図７の（ａ）に示すように、第２シート３ｃには孔８ａとして複数のマイクロポアが形成されている。また、ガス供給経路５ｂは、第１シート２と第２シート３ｃとの間に配置され、酸素加給マスク１ｅの３辺である短辺・長辺・短辺に沿って配置されている。第１シート２と第２シート３ｃとの間に配置されたガス供給経路５ｂには、ガス供給経路５ｂにおける対向する短辺の部位に、ガス供給口６が複数形成されている。
【００６５】
ガス供給経路５ｂを通る酸素は、酸素加給マスク１ｅの両短辺から中央部に向かって、複数のガス供給口６から酸素加給マスク１ｅに供給される。そして、酸素加給マスク１ｅを装着したユーザの呼気は、酸素加給マスク１ｅの中央部に形成された孔８ａを通って酸素加給マスク１ｅの外部に排出される。なお、図７の（ｂ）および（ｃ）においても、孔８ａは複数のマイクロポアであるが、孔８ａを１つの孔として図示している。
【００６６】
（気体の流れ）
図７の（ｂ）は、吸気時の気体の流れを示す図である。酸素加給マスク１ｅに酸素が供給されると、図７の（ｂ）に示すように第１シート２と第２シート３ｃとの間に酸素が貯留し、ガス貯留部４が形成される。このため、酸素加給マスク１ｅを装着したユーザが息を吸うと、ガス貯留部４内に貯留した酸素が、第１シート２を透過して当該ユーザの体内に供給される。なお、当該ユーザの吸気には、ガス貯留部４内の酸素だけでなく、酸素加給マスク１ｅの外部にある空気（外気）が含まれていてもよい。
【００６７】
図７の（ｃ）は、呼気時の気体の流れを示す図である。酸素加給マスク１ｅを装着しているユーザが息を吐くと、当該ユーザの呼気の一部は、第１シート２に当たり、酸素加給マスク１ｅの外部に排出される。また、孔８ａは、第２シート３ｃの中央部に形成されている。このため、ユーザの呼気には、ユーザの吐く息の勢いに乗って第１シート２を透過し、さらにガス貯留部４内および孔８ａを通って酸素加給マスク１ｅの外部に排出されるものもある。それゆえ、呼気時における酸素加給マスク１ｅ内の二酸化炭素の濃度の上昇を防止することが可能となる。
【００６８】
さらに、図７の（ｃ）に示すように、ユーザの呼気の一部が第１シート２を透過して孔８ａを通ってガス貯留部４外に排出されるという流れが生じる。そして、ガス貯留部４内の気体は、この呼気の流れにより孔８ａから離れるように流動するため、孔８ａを通ってガス貯留部４の外部に漏出することはない。このため、呼気時におけるガス貯留部４内の気体について、酸素濃度の低下を防止することが可能となる。
【００６９】
また、第２シート３ｃに形成されている孔８ａは、マイクロポアである。このため、図７の（ｂ）に示すように吸気時におけるガス貯留部４内の気体が孔８ａを通ってガス貯留部４の外部に漏出する量を極微量に抑えることが可能となる。それゆえ、吸気時におけるガス貯留部４内の気体について、酸素濃度の低下を防止することが可能となる。さらには、マイクロポアである孔８ａが形成されている第２シート３ｃを外側にして、酸素加給マスク１ｅがユーザに装着される場合、外観上の違和感が軽減される。それゆえ、ユーザは人目を気にすることなく従来のサージカルマスクと同様の感覚で酸素加給マスク１ｅを装着することができる。
【００７０】
〔実施形態６〕
図８の（ａ）〜（ｃ）は、実施形態６に係る酸素加給マスク１ｆにおいて気体の流れを示す図である。実施形態６は、ガス供給経路５ｃが第１シート２ａと第２シート３との間に配置されることに限定されない点で、実施形態２と異なる。
【００７１】
（要部構成）
図８の（ｂ）に示すように、酸素加給マスク（ガス貯留マスク）１ｆは、実施形態２における第１シート２よりも厚みのある第１シート２ａを備えている。ガス供給口６は、ガス供給経路５ｃを通る酸素が第１シート２ａに供給されるように配置されている。例えば、ガス供給経路５ｃは、第１シート２ａの側面に配置されていてもよいし、第１シート２ａに埋め込まれて配置されていてもよい。また、例えば、ガス供給口６は、第１シート２ａの厚み方向に対して垂直に酸素を供給するように配置されていてもよい。
【００７２】
図８の（ａ）に示すように、酸素加給マスク１ｅの外部から供給される酸素は、ガス供給経路５ｃを通り、ガス供給口６から酸素加給マスク１ｆの中央部に供給される。そして、酸素加給マスク１ｆを装着したユーザの呼気は、酸素加給マスク１ｆの周縁部から外部に排出される。
【００７３】
（気体の流れ）
図８の（ｂ）を用いて吸気時の気体の流れを説明する。図８の（ｂ）に示すように、酸素加給マスク１ｆの外部から第１シート２ａに酸素が供給され、供給された酸素は、第１シート２ａを透過して第１シート２ａと第２シート３との間に貯留し、ガス貯留部４が形成される。なお、第１シート２ａは厚みのあるシートであるため、第１シート２ａには、酸素加給マスク１ｆの外部から供給された酸素が含まれることとなる。
【００７４】
酸素加給マスク１ｆを装着したユーザが息を吸うと、ガス貯留部４内に貯留した酸素、および第１シート２ａに含まれている酸素が、第１シート２ａを透過してユーザの体内に供給される。
【００７５】
図８の（ｃ）を用いて呼気時の気体の流れを説明する。酸素加給マスク１ｆを装着したユーザが息を吐くと、ユーザの呼気は、第１シート２ａに当たり、酸素加給マスク１ｆの外部に排出される。ユーザの呼気時において、ガス貯留部４内の気圧の方向は、ユーザの呼気がガス貯留部４に対して加える圧力の方向と対向する。また、第１シート２ａは厚みのあるシートである。このため、ユーザの呼気が、第１シート２ａを透過してガス貯留部４内の気体と混合することが防止される。
【００７６】
〔実施形態７〕
図９の（ａ）〜（ｃ）は、実施形態７に係る酸素加給マスク（ガス貯留マスク）１ｇにおいて気体の流れを示す図である。実施形態７は、ガス供給経路５ｄが第１シート２ｂと第２シート３との間に配置されることに限定されない点で、実施形態２と異なる。
【００７７】
実施形態７では、ガス供給経路５ｄが酸素加給マスク１ｇの外部に配置されている。そして、ガス供給口６は、第１シート２ｂにおける酸素加給マスク１ｇの外側、すなわち酸素加給マスク１ｇを装着したユーザの顔と第１シート２ｂとの間に配置されている。このため、酸素加給マスク１ｇにおいてガス供給経路５ｄを酸素加給マスク１ｇに配置することが、ガス供給経路５ｄを第１シート２ｂと第２シート３との間に配置することと比較して、容易となる。
【００７８】
ガス供給口６から供給される酸素は、第１シート２ｂを透過し、第１シート２ｂと第２シート３との間（複数のシートにより形成された空間内）に貯留し、ガス貯留部４が形成される。また、ユーザが酸素加給マスク１ｇを装着した場合、ユーザの顔と酸素加給マスク１ｇとの間に空間（複数のシートにより形成された空間）にも、ガス供給口６から供給される酸素が貯留する。そして、酸素加給マスク１ｇを装着したユーザの呼気は、酸素加給マスク１ｇの周縁部から外部に排出される。
【００７９】
（気体の流れ）
図９の（ｂ）を用いて吸気時の気体の流れを説明する。図９の（ｂ）に示すように、酸素加給マスク１ｇを装着したユーザが息を吸うと、ガス貯留部４内に貯留した酸素が第１シート２ｂを透過してユーザの体内に供給されるとともに、ガス供給口６から供給されている酸素もユーザの体内に供給される。
【００８０】
図９の（ｃ）を用いて呼気時の気体の流れを説明する。酸素加給マスク１ｇを装着したユーザが息を吐くと、ユーザの呼気は、第１シート２ｂに当たり、酸素加給マスク１ｇの外部に排出される。ユーザの呼気時において、ガス貯留部４内の気圧の方向は、ユーザの呼気がガス貯留部４に対して加える圧力の方向と対向する。このため、ユーザの呼気が、第１シート２ａを透過してガス貯留部４内の気体と混合することが防止される。
【００８１】
〔実施形態８〕
図１０の（ａ）〜（ｃ）は、実施形態８に係る酸素加給マスク（ガス貯留マスク）１ｈにおいて気体の流れを示す図である。実施形態８は、第１シート２ｃおよび第２シート３ｄが互いに異なるガス透過性を有する構成に限定されない点で実施形態２と異なる。
【００８２】
（要部構成）
実施形態８の酸素加給マスク１ｈは、ガス透過性が同一である２つの第１シート２ｃおよび第２シート３ｄを備えている。図１０の（ｂ）に示すように、第１シート２ｃと第２シート３ｄとの間にはガス供給経路５ｅが配置され、ガス供給経路５ｅには複数のガス供給口６が第１シート２ｃに対向して一列に形成されている。すなわち、複数のガス供給口６は、第１シート２ｃに向かって酸素を吹き出すように配置されている構成である。
【００８３】
なお、ガス供給経路５ｅに一列に形成された複数のガス供給口６が第１シート２ｃに対向して配置されている構成であれば、第２シート３ｄのガス透過性は、特に限定されない。例えば、第２シート３ｄのガス透過性は、第１シート２ｃのガス透過性よりも高いものであってもよい。
【００８４】
図１０の（ａ）に示すように、酸素加給マスク１ｈの外部から供給される酸素は、ガス供給経路５ｅを通り、ガス供給口６から酸素加給マスク１ｈの中央部に供給される。そして、酸素加給マスク１ｈを装着したユーザの呼気は、酸素加給マスク１ｈの周縁部から外部に排出される。
【００８５】
（気体の流れ）
図１０の（ｂ）を用いて吸気時の気体の流れを説明する。複数のガス供給口６から酸素加給マスク１ｈに酸素が供給されると、図１０の（ｂ）に示すように第１シート２ｃと第２シート３ｄとの間に酸素が貯留し、ガス貯留部４が形成される。酸素加給マスク１ｈを装着したユーザが息を吸うと、ガス貯留部４内に貯留した酸素が、第１シート２ｃを透過してユーザの体内に供給される。なお、当該ユーザの吸気には、ガス貯留部４内の酸素だけでなく、酸素加給マスク１ｈの外部にある空気（外気）が含まれていてもよい。
【００８６】
図１０の（ｂ）に示すように、ガス供給口６から供給されるガスは、第１シート２ｃに向かって吹き出すため、第２シート３ｄよりも第１シート２ｃを透過し易くなる。例えば、第２シート３ｄのガス透過性が第１シート２ｃのガス透過性よりも高いものであったとしても、ガス供給口６から供給されるガスは、第２シート３ｄよりも第１シート２ｃを透過し易くなる。
【００８７】
図１０の（ｃ）を用いて呼気時の気体の流れを説明する。酸素加給マスク１ｈを装着したユーザが息を吐くと、ユーザの呼気は、第１シート２ｃに当たり、酸素加給マスク１ｈの外部に排出される。実施形態８の構成の場合、ガス供給口６から供給される酸素の吹き出す方向、およびガス貯留部４内の気圧の方向は、ユーザの呼気がガス貯留部４に対して加える圧力の方向と対向する。このため、ユーザの呼気が、第１シート２ｃを透過してガス貯留部４内の気体と混合することが防止される。それゆえ、ガス貯留部４内の酸素濃度が、ユーザの呼気により低下するということを防止できる。
【００８８】
〔ガス供給口の配置について〕
図１１の（ａ）〜（ｄ）は、上述した実施形態１〜８におけるガス供給経路５、５ａ〜５ｅのガス供給口６を接続する接続部を示す図である。
【００８９】
図１１の（ａ）は、ガス供給経路としてチューブ１６ａ（ガス管）が酸素加給マスク１に溶着されている構成を示す図である。図示の様に、チューブ１６ａは、酸素加給マスク１の短辺に沿って溶着されている。この構成の場合、ガス供給口６を酸素加給マスク１に接続する接続部９は、酸素加給マスク１にチューブ１６ａを溶着する溶着材である。なお、チューブ１６ａは、酸素供給装置から供給される酸素を供給するチューブであり、図１に示したガス管１６であってもよい。
【００９０】
例えば、チューブ１６ａは、実施形態４の場合、ガス貯留部４を形成する第１シート２と第２シート３ａとの間に溶着されている（図５参照）。なお、ガス供給口６は、チューブ１６ａにおける酸素加給マスク１に溶着されている部位に複数形成されていてもよい。
【００９１】
上記の構成によれば、チューブ１６ａが酸素加給マスク１の短辺に沿って接続されるため、ユーザが酸素加給マスク１を装着した場合、チューブ１６ａが外観上目立ちにくい。それゆえ、ユーザは人目を気にすることなく従来のサージカルマスクと同様の感覚で酸素加給マスク１を装着することができる。
【００９２】
また、酸素加給マスク１にはチューブ１６ａが溶着されているため、ユーザが酸素加給マスク１を使用する場合、酸素加給マスク１にガス供給経路を設置してガス供給経路のガス供給口６の位置を決めて接続するというユーザの手間が不要となる。
【００９３】
図１１の（ｂ）は、図１１の（ａ）に示す構成の変形例である。図１１の（ｂ）に示すチューブ（ガス管）１６ｂは、Ｌ字形状であり、チューブ１６ｂの一辺は、酸素加給マスク１の短辺に沿って溶着され、チューブ１６ｂの他辺は、チューブ１６ｂの端部が酸素加給マスク１の中央部に向かうように配置されている。なお、チューブ１６ｂの当該他辺には、任意の数のガス供給口６が形成されている。また、酸素加給マスク１の短辺に沿って溶着されているチューブ１６ｂの一辺の長さ、およびチューブ１６ｂの他辺の長さは任意とする。
【００９４】
そして、酸素加給マスク１の短辺に沿ったチューブ１６ｂの一辺は、酸素が貯留する空間を形成するシートのうち少なくとも１つのシートに溶着された構成である。なお、チューブ１６ｂの他辺は、酸素加給マスク１の短辺に沿ったチューブ１６ｂの一辺と同様にシートに溶着された構成であってもよいし、当該構成でなくてもよい。この構成の場合、チューブ１６ｂとシートとを溶着する溶着材が接続部９ａとなる。
【００９５】
例えば、実施形態２の場合、チューブ１６ｂは、ガス貯留部４を形成する第１シート２と第２シート３との間に溶着されている（図３参照）。また、実施形態３の場合、チューブ１６ｂは、ガス貯留部４を形成する第２シート３と第３シート７との間に溶着されている（図４参照）。実施形態６の場合、チューブ１６ｂは、第１シート２ａに溶着されている（図８参照）。実施形態７の場合、チューブ１６ｂは、第１シート２ｂにおける酸素加給マスク１ｇの外側に溶着されている（図９参照）。
【００９６】
図１１の（ｂ）に示すように、チューブ１６ｂのガス供給口６からガスが供給されると、複数のシートにより形成される空間が中央付近において膨らんで形成される。このため、複数のシートにより形成される空間に、より多くのガスを貯留することが可能となる。
【００９７】
図１１の（ｃ）は、図１に示したガス管１６の端部にあるガス供給口を酸素加給マスク１に接続するための部材９ｂを酸素加給マスク１に溶着した構成を示す図である。図１１の（ｃ）の構成の場合、部材９ｂが接続部であり、例えば実施形態２の場合、部材９ｂは第１シート２と第２シート３との間に溶着されている。この構成によれば、ガス管１６のガス供給口を部材９ｂに差し込むことにより、酸素加給マスク１に酸素が加給される。このため、酸素加給マスク１を使い捨て可能なものとして利用とすることができる。それゆえ、ユーザは、常に清潔な酸素加給マスク１を使用することができる。
【００９８】
図１１の（ｄ）は、ガス供給経路が、酸素加給マスク１の一短辺に形成されている構成を示す図である。図１１の（ｄ）に示すガス供給経路は、酸素を貯留する空間を形成する複数のシートを溶着することにより形成される流路５０である。この流路５０には２通りの使用方法がある。まず１つ目の使用方法は、流路５０に図１に示すガス管１６を挿入して使用する方法である。なお、ガス供給口は、ガス管１６および流路５０の任意の部位に形成されているものとする。この使用方法の場合、接続部９ｃは、流路５０そのものとなる。
【００９９】
また、２つ目の使用方法は、流路５０の入口５１に図１に示すガス管１６を挿入し、流路５０を酸素が通る流路として使用する方法である。この使用方法の場合、接続部９ｃが入口５１となる。なお、流路５０の流路上には、酸素加給マスク１に酸素を供給するための孔が形成されているものとする。また、流路５０の長さおよび形状は、図１１の（ｄ）に示す例に限定されない。例えば、流路５０は、酸素加給マスク１の短辺よりも短い長さを有していてもよいし、図１１の（ｂ）に示すようにＬ字形状であってもよい。
【０１００】
この構成によれば、酸素を貯留する空間を形成する複数のシートを溶着することにより、ガス供給経路および接続部９ｃが形成される。このため、ユーザは、酸素加給マスク１を使い捨て可能なものとして気軽に利用することができる。それゆえ、ユーザは、常に清潔な酸素加給マスク１を使用することが可能となる。
【０１０１】
また、図１１の（ａ）および（ｂ）に示すように、酸素加給マスク１に溶着されるチューブ１６ａおよびチューブ１６ｂは、酸素加給マスク１の隅部に接続して溶着される構成であってもよい。また、図１１の（ｃ）および（ｄ）に示すように、接続部は、ガス供給経路としてのガス管のガス供給口を酸素加給マスク１の隅部に接続する構成であってもよい。
【０１０２】
この構成によれば、ユーザが酸素加給マスク１を使用する場合、図１に示す装着部１５とともにガス供給経路を耳に掛けることが可能となる。それゆえ、外観上の違和感が軽減され、ユーザは人目を気にすることなく従来のサージカルマスクと同様の感覚で酸素加給マスク１を装着することができる。
【０１０３】
また、図１１に示した接続部９、接続部９ａ、部材（接続部）９ｂ、接続部９ｃは、ガス供給経路のガス供給口６を複数のシート間（例えば、第１シートと第２シートとの間）に接続する構成であってもよい。上記の構成によれば、ガス供給口６は複数のシート間（第１シートと第２シートとの間）に接続されるため、ガス供給口６から供給される酸素を当該シート間に確実に貯留することが可能となる。このため、酸素加給マスク１の外部から供給される酸素が、当該シートを透過しユーザに提供されるということが確実となる。それゆえ、酸素加給マスク１とユーザの顔との間の湿度をより適切に保持することができ、酸素加給マスク１を用いたガス療法をより効果的に行うことが可能となる。
【０１０４】
〔酸素加給マスクの使用例について〕
実施形態１〜８に係る酸素加給マスクの使用について、実施形態４に係る酸素加給マスク１ｃを例として図１２の（ａ）および（ｂ）を用いて説明する。図１２の（ａ）に示すように、酸素加給マスク１ｃにおけるマスク本体は、柔軟性を有する第１シート２および第２シート３ａが重なることにより形成されている。酸素加給マスク１ｃは、例えば長方形の形状であり、酸素加給マスク１ｃの互いに対向する短辺に装着部１５が備えられている。
【０１０５】
図１２の（ａ）に示す酸素加給マスク１ｃでは、上述した通り、ガス供給経路５ａが、第１シート２と第２シート３ａとの間において酸素加給マスク１ｃの一短辺側に配置され、第１シート２および第２シート３ａにより形成される空間内に酸素が供給される。そして、ユーザ１００の呼気は、ガス供給経路５ａが配置されている側の一短辺と対向する一短辺の側に形成された孔を通過して酸素加給マスク１ｃの外部に排出される。
【０１０６】
そして、酸素加給マスク１ｃが使用される場合、図１２の（ｂ）に示すように、酸素加給マスク１ｃは、装着部１５がユーザ１００の両耳に掛けられ、第１シート２および第２シート３ａが、ユーザ１００の鼻および口を覆う状態で、ユーザ１００に装着される。なお、第１シート２および第２シート３ａにプリーツ加工が施されている場合、当該プリーツが適度に開かれることにより、酸素加給マスク１ｃはユーザ１００の鼻および口を覆う立体的な形状となる。
【０１０７】
（従来技術との比較）
図１３の（ａ）は、従来技術における鼻カニューラ１０１の使用例を示す図である。チューブからなる鼻カニューラ１０１は、図示のようにユーザ１００の両耳に掛けられ、酸素を供給する供給口がユーザ１００の鼻腔に挿入された状態で使用される。このため、鼻カニューラ１０１は、供給される酸素の流れによってユーザ１００の鼻孔を乾燥させてしまうという虞があった。それゆえ、鼻カニューラ１０１を使用すると、乾燥による感染や嚥下機能障害に繋がってしまうという問題もあった。
【０１０８】
一方、図１２の（ａ）に示す酸素加給マスク１ｃは、ガス供給経路５から供給される酸素を、複数のシートにより形成される空間（例えば、第１シート２および第２シート３ａにより形成される空間）内に貯留する構成である。すなわち、酸素加給マスク１ｃは、ユーザ１００の鼻および口に直接酸素を供給する構成ではない。このため、ユーザ１００の鼻孔および口腔内が、供給される酸素の流れにより乾燥することはない。それゆえ、酸素加給マスク１は、当該マスクとユーザの顔との間に適切な湿度を保持し、使用時の口渇による不快感をユーザに与えることがない。
【０１０９】
また、図１３の（ｂ）は、従来技術における呼吸マスク１０２の使用例を示す図である。呼吸マスク１０２は、ユーザの鼻および口を覆う形状であり、プラスチックからなる。呼吸マスク１０２の周縁部は、ユーザ１００の顔に密着し、ユーザ１００の顔と呼吸マスク１０２とで密閉された空間に酸素が供給される。一方、図１２の（ａ）に示す酸素加給マスク１ｃは、柔軟性を有するマスクであり、マスク本体（第１シート２および第２シート３ａ）の周縁部がユーザ１００の顔に密着してない構成である。このため、図１２の（ａ）に示す酸素加給マスク１ｃは、図１３の（ｂ）に示す呼吸マスク１０２と比較して、ユーザ１００の顔を圧迫するという不快感をユーザ１００に与えることがない。
【０１１０】
以上より、図１２の（ａ）に示す酸素加給マスク１ｃは、装着時の不快感を原因としてユーザ１００自身により外されてしまうということがない。特に、ユーザ１００がせん妄状態にある場合、または認知状態が良好でない場合、酸素加給マスク１ｃは有効であり、ユーザ１００に酸素を供給する酸素療法を円滑に行うことが可能となる。
【０１１１】
また、図１２の（ａ）に示す酸素加給マスク１ｃのマスク本体が、既に量産されているサージカルマスクのマスク本体を構成するシートにより構成される場合、図１３の（ａ）に示す鼻カニューラ１０１、および図１３の（ｂ）に示す呼吸マスク１０２と比較して、酸素加給マスク１ｃの原価を低減することが可能となる。このため、酸素加給マスク１ｃを使い捨て可能なものとして利用することができる。
【０１１２】
また、図１２の（ｂ）に示すように、酸素加給マスク１ｃを装着しているユーザ１００の外観は、普及しているサージカルマスクを装着している外観とほぼ同等である。このため、ユーザは、人目を気にすることなく従来のサージカルマスクと同様の感覚で酸素加給マスク１ｃを装着することができる。特に、病院外である施設において酸素療法が必要な場合（例えば在宅における酸素療法が必要な場合）、酸素加給マスク１ｃを利用した酸素療法はユーザに受け入れられやすい。
【０１１３】
〔評価結果〕
（試験概要）
図１４は、試験の概要を示す図である。図１４に示すように、評価マスクとしての酸素加給マスク１はユーザ１００に装着され、酸素供給チューブとしてのガス供給経路５のガス供給口はユーザ１００の口元（右端）に配置されている。また、ユーザ１００の口元の左下には測定プローブ１０３の端部が固定された状態で配置されている。
【０１１４】
本試験では、酸素加給マスク１を着用したユーザ１００について、呼気および吸気に含まれる酸素濃度（％）と二酸化炭素分圧（ｍｍＨｇ）とをそれぞれ測定する。また、試験におけるユーザ１００の呼吸は口呼吸とし、呼吸速度は通常呼吸（３．５秒／回）および速い呼吸（１．５秒／回）とする。
【０１１５】
（評価検体）
図１５は、評価検体の構成を示す概要図である。評価検体として用いるマスクは、従来技術のサージカルマスク、試作Ａ、本実施形態２に係る試作Ｂ、本実施形態１に係る試作Ｃ、および従来の呼吸マスク（図１３の（ｂ）参照）である。なお、従来技術のサージカルマスク、試作Ａ、および従来の呼吸マスクは、試作Ｂおよび試作Ｃと比較するための評価検体である。
【０１１６】
従来のサージカルマスクは、不織布３枚からなる評価検体である。なお、従来のサージカルマスクには、酸素を供給しないこととする。また、従来の呼吸マスクは、プラスチックからなる評価検体であり、図１３の（ｂ）に示す呼吸マスク１０２である。
【０１１７】
試作Ａは、同一のガス透過性を有する３枚の不織布ａ〜ｃからなる評価検体である。試作Ａは、試作Ａを装着するユーザの口側にある不織布ａおよび不織布ｂからなるシートと、外気側にある不織布ｃとの間に酸素が供給される構成である。このため、試作Ａに供給された酸素は、２枚の不織布ａおよび不織布ｂからなるシートを透過して、試作Ａを装着したユーザに提供される。
【０１１８】
なお、２枚の不織布ａおよび不織布ｂからなるシートは、不織布ｃと比較してガス透過性が低い。また、試作Ａに供給される酸素が吹き出される方向は任意とするが、２枚の不織布ａおよび不織布ｂからなるシートに向かって吹き出す方向とは異なることとする。
【０１１９】
試作Ｂは、３枚の不織布ａ・不織布ｂ・不織布ｃからなる評価検体である。試作Ｂは、試作Ｂを装着するユーザの口側にある不織布ａ（第１シート）と、２枚の不織布ｂおよび不織布ｃからなる外気側にあるシート（第２シート）との間に酸素が供給される構成である。このため、試作Ｂに供給された酸素は、１枚の不織布ａを透過して、試作Ｂを装着したユーザに提供される。なお、１枚の不織布ａは、２枚の不織布ｂおよび不織布ｃからなるシートと比較してガス透過性が高い。
【０１２０】
試作Ｃは、３枚の不織布ａ・不織布ｂ・不織布ｃおよびフィルムシート１枚からなる評価検体である。試作Ｃは、試作Ｃを装着するユーザの口側にある３枚の不織布ａ・不織布ｂ・不織布ｃからなるシート（第１シート）と、外気側にあるフィルムシート（第２シート）との間に酸素が供給される構成である。このため、試作Ｃに供給された酸素は、３枚の不織布ａ・不織布ｂ・不織布ｃからなるシートを透過して、試作Ｃを装着したユーザに提供される。なお、３枚の不織布ａ・不織布ｂ・不織布ｃからなるシートは、フィルムシートと比較してガス透過性が高い。
【０１２１】
（測定結果）
図１６は、図１５に示す評価検体についての測定結果を示すグラフである。なお、酸素加給マスク１は、呼吸器機能が正常に機能しない患者に装着されるものである。このため、本発明の実施形態に係る試作Ｂおよび試作Ｃを、試作Ｂおよび試作Ｃ以外の評価検体と比較して評価する。
【０１２２】
（通常呼吸における測定結果）
図１６の左上のグラフは、通常呼吸における酸素濃度の測定結果である。図示のように、試作Ｂを装着しているユーザについて吸気および呼気の酸素濃度は、ともに２５％以上である。また、試作Ｃを装着しているユーザについて、吸気の酸素濃度は約２５％であり、呼気の酸素濃度は３０％以上である。
【０１２３】
一方、従来の呼吸マスクを装着しているユーザについて、吸気の酸素濃度は約３０％であり、呼気の酸素濃度は約２５％である。このため、通常呼吸において、本発明の実施形態に係る試作Ｂおよび試作Ｃにおける酸素濃度は、吸気および呼気ともに、従来の呼吸マスクにおける酸素濃度と同等であると評価できる。
【０１２４】
また、マスクを装着していない（以下、マスクなし）ユーザについての吸気および呼気の酸素濃度は、ともに約２０％であり、従来のサージカルマスクを装着しているユーザについての吸気および呼気の酸素濃度は、ともに２０％以下である。このため、本発明の実施形態に係る試作Ｂおよび試作Ｃにおける酸素濃度は、吸気および呼気ともに、マスクなしの酸素濃度および従来のサージカルマスクにおける酸素濃度よりも高いと評価できる。それゆえ、試作Ｂおよび試作Ｃは、酸素をユーザに加給するマスクとして有効であるといえる。
【０１２５】
また、試作Ａを装着しているユーザについて、吸気および呼気の酸素濃度は、ともに約２０％であるため、試作Ａにおける酸素濃度は、吸気および呼気ともに、従来の呼吸マスクにおける酸素濃度よりも低いと評価できる。このため、試作Ａは、試作Ｂおよび試作Ｃと比較して、通常呼吸においてマスクを装着しているユーザに酸素を提供するという機能が低いといえる。それゆえ、試作Ｂおよび試作Ｃの構成は、通常呼吸において、ユーザに酸素を提供するという点で試作Ａの構成よりも優れているといえる。
【０１２６】
図１６の右上のグラフは、通常呼吸における二酸化炭素分圧の測定結果である。図示のように、試作Ｂを装着しているユーザについて、吸気時の二酸化炭素分圧は、呼気が周囲の空気により容易に希釈されるため約０ｍｍＨｇであり、呼気の二酸化炭素分圧は約３０ｍｍＨｇである。また、試作Ｃを装着しているユーザについて、吸気時の二酸化炭素分圧は、呼気が周囲の空気により容易に希釈されるため約０ｍｍＨｇであり、呼気の二酸化炭素分圧は３０ｍｍＨｇ未満である。
【０１２７】
一方、従来の呼吸マスクを装着しているユーザについて、吸気の二酸化炭素分圧は０ｍｍＨｇであり、呼気の二酸化炭素分圧は約３０ｍｍＨｇである。このため、通常呼吸において、本発明の実施形態に係る試作Ｂおよび試作Ｃにおける二酸化炭素濃度は、吸気および呼気ともに、従来の呼吸マスクにおける二酸化炭素濃度と同等であると評価できる。
【０１２８】
また、従来のサージカルマスクを装着しているユーザについて、吸気の二酸化炭素分圧は約０ｍｍＨｇであり、呼気の二酸化炭素分圧は３０ｍｍＨｇ未満である。このため、通常呼吸において、本発明の実施形態に係る試作Ｂおよび試作Ｃにおける二酸化炭素濃度は、吸気および呼気ともに、従来のサージカルマスクにおける二酸化炭素濃度と同等であると評価できる。なお、マスクなしのユーザについて、吸気の二酸化炭素分圧は０ｍｍＨｇであり、呼気の二酸化炭素分圧は５ｍｍＨｇ以上であった。
【０１２９】
また、試作Ａを装着しているユーザについて、吸気の二酸化炭素分圧は数ｍｍＨｇであり、呼気の二酸化炭素分圧は約３５ｍｍＨｇである。このため、試作Ａにおける二酸化炭素濃度は、吸気および呼気ともに、従来の呼吸マスクにおける二酸化炭素濃度よりも高いと評価できる。このため、試作Ａは、試作Ｂおよび試作Ｃと比較して、通常呼吸においてマスクを装着しているユーザの呼気（二酸化炭素）をマスクの外部に排出するという機能が低いといえる。ゆえに、試作Ｂおよび試作Ｃの構成は、通常呼吸において、当該ユーザの呼気（二酸化炭素）をマスクの外部に排出するという点で試作Ａの構成よりも優れているといえる。
【０１３０】
（速い呼吸における測定結果）
図１６の左下のグラフは、速い呼吸における酸素濃度の測定結果である。図示のように、試作Ｂを装着しているユーザについて、吸気の酸素濃度は約２５％であり、呼気の酸素濃度は３０％以上である。また、試作Ｃを装着しているユーザについて、吸気の酸素濃度は２５％以上であり、呼気の酸素濃度は３０％以上である。
【０１３１】
一方、従来の呼吸マスクを装着しているユーザについて、吸気の酸素濃度は２５％以上であり、呼気の酸素濃度は約２５％である。このため、速い呼吸において、本発明の実施形態に係る試作Ｂおよび試作Ｃにおける酸素濃度は、吸気および呼気ともに、従来の呼吸マスクにおける酸素濃度と同等であると評価できる。
【０１３２】
また、従来のサージカルマスクを装着しているユーザについての吸気および呼気の酸素濃度は、ともに２０％以下である。このため、本発明の実施形態に係る試作Ｂおよび試作Ｃにおける酸素濃度は、吸気および呼気ともに、従来のサージカルマスクにおける酸素濃度よりも高いと評価できる。それゆえ、試作Ｂおよび試作Ｃは、酸素をユーザに加給するマスクとして有効であるといえる。
【０１３３】
また、試作Ａを装着しているユーザについて、吸気および呼気の酸素濃度は、ともに約２０％であるため、試作Ａにおける酸素濃度は、吸気および呼気ともに、従来の呼吸マスクにおける酸素濃度よりも低いと評価できる。このため、試作Ａは、試作Ｂおよび試作Ｃと比較して、速い呼吸においてマスクを装着しているユーザに酸素を提供するという機能が低いといえる。それゆえ、試作Ｂおよび試作Ｃの構成は、速い呼吸において、ユーザに酸素を提供するという点で試作Ａの構成よりも優れているといえる。
【０１３４】
図１６の右下のグラフは、速い呼吸における二酸化炭素分圧の測定結果である。図示のように、試作Ｂを装着しているユーザについて、吸気時の二酸化炭素分圧は、呼気が周囲の空気により容易に希釈されるため約０ｍｍＨｇであり、呼気の二酸化炭素分圧は約２５ｍｍＨｇである。また、試作Ｃを装着しているユーザについて、吸気時の二酸化炭素分圧は、呼気が周囲の空気により容易に希釈されるため約０ｍｍＨｇであり、呼気の二酸化炭素分圧は２５ｍｍＨｇ以上である。
【０１３５】
一方、従来の呼吸マスクを装着しているユーザについて、吸気の二酸化炭素分圧は約０ｍｍＨｇであり、呼気の二酸化炭素分圧は約２０ｍｍＨｇである。また、従来のサージカルマスクを装着しているユーザについて、吸気の二酸化炭素分圧は約０ｍｍＨｇであり、呼気の二酸化炭素分圧は約２５ｍｍＨｇである。このため、速い呼吸において、本発明の実施形態に係る試作Ｂおよび試作Ｃにおける二酸化炭素濃度は、吸気および呼気ともに、従来の呼吸マスクにおける二酸化炭素濃度よりも高いと評価できる一方で、従来のサージカルマスクにおける二酸化炭素濃度と同等であると評価できる。
【０１３６】
また、試作Ａを装着しているユーザについて、吸気の二酸化炭素分圧は５ｍｍＨｇ未満であり、呼気の二酸化炭素分圧は約３０ｍｍＨｇである。このため、試作Ａにおける二酸化炭素濃度は、吸気および呼気ともに、試作Ｂおよび試作Ｃにおける二酸化炭素濃度よりも高いと評価できる。それゆえ、試作Ａは、試作Ｂおよび試作Ｃと比較して、速い呼吸においてマスクを装着しているユーザの呼気（二酸化炭素）をマスクの外部に排出するという機能が低いといえる。ゆえに、試作Ｂおよび試作Ｃの構成は、当該ユーザの呼気（二酸化炭素）をマスクの外部に排出するという点で試作Ａの構成よりも優れているといえる。
【０１３７】
〔実施形態９〕
図１７の（ａ）は、実施形態９に係る酸素加給マスク１ｉの装着例を示す図である。本実施形態の酸素加給マスク（ガス貯留マスク）１ｉは、第１シート２の一部に第２シート３ｉが重畳されている点で上述した酸素加給マスクと異なる。第１シート２の一部とは、例えば、図１７の（ａ）に示すように、酸素加給マスク１ｉがユーザ１００に装着された状態において、第１シート２の上部であり、酸素加給マスク１ｉは、ユーザ１００の鼻を覆う第１シート２の部分に第２シート３ｉが重畳されている構成である。この構成の場合、酸素加給マスク１ｉがユーザ１００に装着された状態において、第１シート２の下部には、第２シート３ｉが重畳されていない。なお、酸素加給マスク１ｉにおいても、上述した酸素加給マスクと同様に、第１シート２と第２シート３ｉと間には、ガス供給経路５を通過した酸素が貯留することによりガス貯留部４が形成される。
【０１３８】
上記の構成によれば、第１シート２よりもガス透過性が低い第２シート３ｉは、第１シート２の一部の範囲に重畳される。このため、ユーザ１００の呼気時において、当該呼気は、第２シート３ｉが重畳されていない第１シート２の部位を透過して、酸素加給マスク１ｉの外部に排出されることが可能となる。それゆえ、ユーザ１００の呼気について、第２シート３ｉが重畳されている第１シート２の部分を透過してガス貯留部４内の気体と混合する量を低減することが可能となる。
【０１３９】
また、ガス供給経路５からガス貯留部４への酸素の供給が、何らかの原因により停止した場合、ユーザ１００の吸気時において、外気が、第２シート３ｉが重畳されていない第１シート２の部分を透過し、酸素加給マスク１ｉの外部からユーザ１００の体内に供給されることが容易となる。
【０１４０】
なお、第２シート３ｉが重畳される第１シート２の部位は、ユーザ１００の鼻を覆う程度の範囲となる構成であってもよいし、ユーザ１００の口および鼻を覆う程度の範囲となる構成であってもよい。前者の構成であっても、ユーザが口呼吸をする際に、ガス貯留部４内の気体は、第１シート２を透過してユーザの体内に供給されることが可能である。
【０１４１】
図１７の（ｂ）は、実施形態９の変形例である酸素加給マスク１ｊの構成を示す図である。酸素加給マスク（ガス貯留マスク）１ｊは、第１シート２と第２シート３ｉとの間に第３シート７ｊを備えている点で、図１７の（ａ）に示す酸素加給マスク１ｉと異なる。第３シート７ｊは、第１シート２よりもガス透過性が低く、第２シート３ｉが重畳されている第１シート２の部位に配置されている構成である。ガス供給経路５を通過する酸素は、図４に示した酸素加給マスク１ｂと同様に、第２シート３ｉと第３シート７ｊとの間に供給される。第３シート７ｊには、ガス貯留部４に貯留された酸素をユーザの体内に供給するための孔７２が複数形成されている。
【０１４２】
第３シート７ｊに形成されている孔７２の大きさは、ガス貯留部４に貯留された酸素をユーザの体内に供給する程度であり、孔７２の個数は任意である。例えば、孔７２の大きさは人の指の太さ程度であり、孔７２が形成される位置は、ユーザが酸素加給マスク１ｊを装着した際に、当該ユーザの口および鼻の穴（鼻の下）に近い位置である。当該位置により、ユーザの呼吸が口呼吸であっても鼻呼吸であっても、ガス貯留部４に貯留された酸素が、孔７２を通過してスムーズにユーザの体内に供給されることが可能となる。
【０１４３】
上記の構成によれば、第１シート２よりもガス透過性が低い第２シート３ｉと第３シート７ｊとの間にガス貯留部４が形成されるため、ユーザの呼気が、第１シート２および第３シート７ｊを透過してガス貯留部４内の気体と混合することが防止される。また、第３シート７ｊには複数の孔７２が形成されているため、ユーザの吸気時において、ガス貯留部４内の気体が、ある程度の指向性をもってユーザの体内に供給されることが可能となる。すなわち、ユーザの吸気時において、ガス貯留部４内の気体が複数の孔７２を通過することにより、孔７２を通過した気体は、ユーザの体内（口または鼻）に向かう方向に進み、ユーザの体内（口または鼻）に的確に供給されることが可能となる。
【０１４４】
〔実施形態１０〕
図１８の（ａ）は、実施形態１０に係る酸素加給マスク１ｋの装着例を示す図である。本実施形態の酸素加給マスク（ガス貯留マスク）１ｋは、第１シート２ｋに孔７３が形成され、さらに第２シート３ｋに孔８１が形成されている点で、図３に示す酸素加給マスク１ａと異なる。なお、酸素加給マスク１ｋにおいても、図３に示す酸素加給マスク１ａと同様に、第１シート２ｋと第２シート３ｋと間には、ガス供給経路５を通過した酸素が貯留することによりガス貯留部４が形成される。
【０１４５】
第１シート２ｋに形成された孔７３は、ガス貯留部４に貯留された酸素をユーザの体内に供給するためのものである。例えば、孔７３の大きさは、酸素加給マスク１ｋを装着したユーザの口の大きさ程度であり、孔７３は、ユーザが酸素加給マスク１ｋを装着した際に当該ユーザの口付近に位置するように形成される。第２シート３ｋに形成された孔８１は、ユーザの呼気を排出するためのものである。例えば、孔８１は、第１シート２ｋに形成された孔７３と同じ大きさを有し、孔７３を通過したユーザの呼気が円滑に孔８１を通過する位置に形成されている。なお、孔７３および孔８１は、上述したように口の大きさ程度の１つの孔であってもよいし、マイクロポアが口の大きさ程度の範囲に複数形成されているものであってもよい。
【０１４６】
図１８の（ｂ）は、酸素加給マスク１ｋの構成を示す図である。第１シート２ｋに形成された孔７３、および第２シート３ｋに形成された孔８１により、ユーザの呼気が酸素加給マスク１ｋの外部に排出される経路が作られる。このため、ユーザの呼気は、ユーザの吐く息の勢いにのって、孔７３および孔８１を通過し、酸素加給マスク１ｋの外部に排出される。それゆえ、ユーザの呼気がガス貯留部４内の気体と混合することを確実に防止できる。また、ガス貯留部４には酸素が供給され続けているため、ユーザの吸気時において、ガス貯留部４に貯留した酸素が、孔７３を通過してユーザの体内に供給される。
【０１４７】
なお、上述した酸素加給マスクは、従来から普及しているマスクと同様の外観を有するものであり、例えば、図１等に示すようにプリーツ加工が施されたシートにより構成されるマスクであってもよいし、２つ折りとなっているシートを広げて立体マスクとして使用されるマスクであってもよいし、厚めの不織布で構成され、ユーザの鼻および口を覆うドーム形状のマスクであってもよい。
【０１４８】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１４９】
なお、本発明は以下のように表現することも可能である。すなわち、本発明の一態様に係る酸素加給マスクは、重ねてなる複数の繊維シートの上面をフィルムシートで覆い、これらの周縁部を接合してなるマスク本体と、そのマスク本体を身体に取り付ける装着部と、前記繊維シートとフィルムシートとの間に設けられるガス貯留部に酸素ガスを加給するガス管と、を有する酸素加給マスクであって、前記ガス貯留部は、加給される酸素ガスにより拡張・形成されてなるものである。
【０１５０】
上記発明において、フィルムシートは、プリーツ加工をしてなるものとすることができる。また、繊維シート及びフィルムシートについて、プリーツ加工をし、フィルムシートに施したプリーツのひだ幅寸法又は／及びひだ数を繊維シートに施したプリーツ加工のひだ幅寸法又は／及びひだ数よりも大きくしたものとすることができる。
【０１５１】
また、フィルムシートは、ポリエチレン樹脂、ポリ塩化ビニル樹脂、ポリアミド樹脂、ポリエチレンテレフタレート樹脂の何れかからなるものとすることができる。
【０１５２】
また、ガス管は、マスク本体の隅部に管部が接合され、そのマスク本体の中央部分に開口しているのがよく、マスク本体から延伸し、酸素供給配管と連結されるコネクタを有するものとするのがよい。
【０１５３】
本発明に係る酸素加給マスクは、柔軟性かつ軽量な織布、不織布、不織紙などの繊維に基づく繊維シートと、柔軟性かつ軽量なフィルムシートを有してなり、装着する者に不快感を与えることが少なく、長時間の装着を可能にしており、ほとんどサージカルマスクと同様な使用感で装着することができる。また、本発明に係る酸素加給マスクは、ガス貯留部によりガスリザーバタンクが形成されるようになっており、酸素を簡易にかつ効果的に患者に供給することができる。
【０１５４】
〔まとめ〕
上記の課題を解決するために、本発明の一態様に係るガス貯留マスクは、ガスを貯留するガス貯留マスクであって、複数のシートを備え、上記ガス貯留マスクの外部から供給される上記ガスが、上記複数のシートにより形成される空間内に貯留されることを特徴とする。上記の構成によれば、ガス貯留マスクの外部から供給されるガスは、複数のシートにより形成される空間内に貯留される。このため、当該空間内にあるガスは、ユーザの呼吸に連動してシートを透過し、ユーザに提供される。それゆえ、ガス貯留マスクは、当該マスクとユーザの顔との間に適切な湿度を保持し、使用時の口渇による不快感を与えることがない。よって、ユーザはガス貯留マスクを快適に長時間装着することができ、ガス貯留マスクを用いたガス療法（例えば酸素療法）を長時間行うことが可能となる。
【０１５５】
さらに、本発明の一態様に係るガス貯留マスクでは、上記複数のシートのうち少なくとも２つの上記シートは、互いに異なるガス透過性を有していてもよい。上記の構成によれば、複数のシートにより形成される空間内に貯留した気体は、複数のシートのうちガス透過性の高いシートを透過して当該空間の外へ排出され易くなる。また、当該空間内に貯留した気体は、複数のシートのうちガス透過性の低いシートを透過してガス貯留マスクの外部に漏出し難くなる。このため、複数のシートのうちガス透過性の高いシートがユーザの口側となるようにガス貯留マスクがユーザに装着された場合、ガス貯留マスクを用いたガス療法を効率的に行うことが可能となる。
【０１５６】
また、上記構成によれば、複数のシートにより形成される空間にガスが供給され続けた場合、当該空間内の気圧が増加し、当該空間内に貯留したガスは、ガス透過性の高いシートを透過して当該空間の外へ漏出しようとする。一方、ガス透過性の高いシートがユーザの口側となるようにガス貯留マスクがユーザに装着された場合、ユーザの呼気はガス透過性の高いシートに対して上記空間外から吹き付けられる。このように、上記空間内の気圧の方向は、ユーザの呼気が上記空間に対して加える圧力の方向と対向する。このため、ガス貯留マスクを装着したユーザの呼気が、ガス透過性の高いシートを透過して上記空間内の気体と混合することが防止される。
【０１５７】
さらに、本発明の一態様に係るガス貯留マスクでは、上記複数のシートは、第１シートおよび第２シートを含み、上記第１シートは、上記第２シートと対向して配置されるとともに、上記ガス貯留マスクを装着した生体の側に位置し、上記第２シートは、上記第１シートよりもガス透過性が低くてもよい。上記の構成によれば、第１シートおよび第２シートにより形成される空間内に貯留した気体は、第１シートを透過して当該空間の外へ排出され易くなる。このため、第１シートがユーザ（生体）の口側となるようにガス貯留マスクがユーザに装着された場合、ガス貯留マスクにガスが供給されると、当該空間内に貯留したガスが第１シートを透過してユーザに供給され易くなる。また、当該空間内に貯留したガスが第２シートを透過してガス貯留マスクの外部に漏出し難くなる。それゆえ、ガス貯留マスクを用いたガス療法を効率的に行うことが可能となる。
【０１５８】
また、上記構成によれば、第１シートおよび第２シートにより形成される空間にガスが供給され続けた場合、当該空間内の気圧が増加し、当該空間内のガスは、第１シートを透過して当該空間の外へ漏出しようとする。一方、ユーザの呼気は、第１シートに対して上記空間外から吹き付けられる。このように、上記空間内の気圧の方向は、ユーザの呼気が上記空間に対して加える圧力の方向と対向する。このため、ガス貯留マスクを装着したユーザの呼気が、第１シートを透過して上記空間内の気体と混合することが防止される。
【０１５９】
さらに、本発明の一態様に係るガス貯留マスクでは、上記ガスを供給するガス供給経路のガス供給口を上記第１シートと上記第２シートとの間に接続する接続部をさらに備えていてもよい。上記の構成によれば、ガス供給口は第１シートと第２シートとの間に接続されるため、ガス供給口から供給されるガスを第１シートと第２シートとの間に確実に貯留することが可能となる。このため、ガス貯留マスクの外部から供給されるガスが、第１シートを透過しユーザに提供されるということが確実となる。それゆえ、当該マスクとユーザの顔との間の湿度をより適切に保持することができ、ガス貯留マスクを用いたガス療法をより効果的に行うことが可能となる。
【０１６０】
さらに、本発明の一態様に係るガス貯留マスクでは、上記接続部は、上記ガス供給口を上記第１シートの中央部に配置してもよい。上記の構成によれば、ガス貯留マスクの外部からガスが供給されると、複数のシートにより形成される空間が中央付近において膨らんで形成される。このため、複数のシートにより形成される空間に、より多くのガスを貯留することが可能となる。それゆえ、ガス貯留マスクは、ユーザに装着された場合、ユーザの口付近に対向する当該空間の中央付近からユーザに十分なガスを提供できる。
【０１６１】
さらに、本発明の一態様に係るガス貯留マスクでは、上記接続部は、上記ガス供給経路に形成された複数の上記ガス供給口を上記ガス貯留マスクの短辺に沿って配置してもよい。上記の構成によれば、ガス供給経路がガス貯留マスクの短辺に沿って配置される。このため、ユーザがガス貯留マスクを装着した場合、ガス供給経路が外観上目立ちにくい。それゆえ、ユーザは人目を気にすることなく従来のサージカルマスクと同様の感覚でガス貯留マスクを装着することができる。
【０１６２】
さらに、本発明の一態様に係るガス貯留マスクでは、上記第１シートには、上記空間内に貯留された上記ガスを上記生体内に供給するための孔が少なくとも１つ形成されていてもよい。上記の構成によれば、第１シートに孔が形成されている。このため、第１シートおよび第２シートにより形成された空間にガスが供給された場合、当該空間内にガスが貯留し、当該空間内のガスは、第１シートに形成された孔を通過して当該空間の外へ漏出しようとする。それゆえ、ガス貯留マスクは、ガス貯留マスクを装着したユーザ（生体）にさらに容易にガスを提供することできる。また、ガス貯留マスクを装着したユーザの呼気の方向は、当該空間内のガスが漏出する方向と対向する。このため、上記ユーザの呼気が第１シートに形成された孔を通過して上記空間内の気体と混合することを確実に防止できる。
【０１６３】
さらに、本発明の一態様に係るガス貯留マスクでは、上記複数のシートは、上記第１シートと上記第２シートとの間に配置された第３シートをさらに含み、上記第３シートは、上記第１シートよりもガス透過性が低く、上記第３シートには、上記第２シートと上記第３シートとの間に貯留された上記ガスを上記第１シートと上記第３シートとの間に導入して上記第１シートを透過させるための孔が形成されていてもよい。
【０１６４】
上記の構成によれば、ガス貯留マスクの外部から供給されたガスは、第１シートよりもガス透過性が低い第２シートおよび第３シートにより形成された空間に貯留し易くなる。このため、第２シートおよび第３シートにより形成される空間において、ガス貯留マスクの外部から供給されるガスの濃度が低下することを防止できる。また、上記構成によれば、第３シートには孔が形成されている。このため、第２シートおよび第３シートにより形成された空間に貯留したガスが、第３シートに形成された孔を通過し第１シートを透過することが容易となる。それゆえ、ガス貯留マスクは、ガス貯留マスクを装着したユーザに容易にガスを提供することが可能となる。
【０１６５】
また、上記の構成によれば、第１シートおよび第３シートにより形成される空間にガスが供給され続けた場合、当該空間内のガスは、第３シートに形成された孔を通過して当該空間の外へ漏出しようとする。一方、ガス貯留マスクを装着したユーザの呼気の方向は、当該空間内のガスが漏出する方向と対向する。このため、上記ユーザの呼気が第３シートに形成された孔を通過して上記空間内の気体と混合することを確実に防止できる。
【０１６６】
さらに、本発明の一態様に係るガス貯留マスクでは、上記第２シートには上記第１シートを透過して上記空間に貯留する気体を排出するための孔が少なくとも１つ形成されていてもよい。上記の構成によれば、第１シートを透過して第１シートと第２シートとの間に貯留する気体（例えばユーザの呼気）が、第２シートに形成された孔を通ってガス貯留マスクの外部に排出される。このため、第１シートおよび第２シートにより形成された空間においてガス貯留マスクの外部から供給されるガスの濃度が低下することを防止できる。
【０１６７】
さらに、本発明の一態様に係るガス貯留マスクでは、上記孔は、上記第２シートの中央部に形成されていてもよい。上記の構成によれば、第１シートに気体（例えばユーザの呼気）が吹き付けられた場合、当該気体が、吹き付けられた勢いに乗って第１シートを透過し、さらに第２シートの中央部に形成された孔を通ってガス貯留マスクの外部に排出される。このため、第１シートと第２シートとの間に貯留する気体は、第１シートに吹き付けられた気体により孔から離れるように流動するので、孔を通って第１シートおよび第２シートにより形成された空間の外部に漏出し難くなる。それゆえ、当該空間において、ガス貯留マスクの外部から供給されるガスの濃度が低下することを防止できる。
【０１６８】
さらに、本発明の一態様に係るガス貯留マスクでは、上記孔は、上記第２シートの短辺側に形成されていてもよい。上記の構成によれば、第１シートに気体（例えばユーザの呼気）が吹き付けられた場合、孔が形成されている第２シートの短辺側において、当該気体の一部が、第１シートを透過して孔を通ってガス貯留マスクの外部に排出される。このため、第１シートと第２シートとの間に貯留しているガスは、孔が形成されている側から遠ざかる方向に流れていき、孔を通ってガス貯留マスクの外部に漏出し難くなる。それゆえ、第１シートおよび第２シートにより形成された空間において、ガス貯留マスクの外部から供給されるガスの濃度が低下することを防止できる。
【０１６９】
さらに、本発明の一態様に係るガス貯留マスクでは、上記第１シートにおいて、上記第１シートから上記第２シートへ向かう方向におけるガス透過性は、上記第２シートから上記第１シートへ向かう方向におけるガス透過性よりも低くてもよい。上記の構成によれば、第１シートは、第１シートおよび第２シートにより形成された空間内における気体を当該空間の外へ透過させ易く、かつ、当該空間の外から第１シートに吹き付けられる気体（例えばユーザの呼気）を当該空間内に透過させ難いものとなる。このため、第１シートがユーザの口側となるようにガス貯留マスクがユーザに装着された場合、当該空間内における気体はユーザに提供され易くなるとともに、ユーザの呼気は当該空間内の気体と混合され難くなる。それゆえ、ガス貯留マスクを用いたガス療法を効率的に行うことが可能となる。
【０１７０】
さらに、本発明の一態様に係るガス貯留マスクでは、上記ガスは、上記第１シートを透過して、当該第１シートおよび上記第２シートにより形成される空間に貯留されてもよい。上記の構成によれば、ガスを供給するガス供給経路を第１シートと第２シートとの間に配置する必要がない。このため、ガス供給経路をガス貯留マスクに配置することが容易となる。
【０１７１】
さらに、本発明の一態様に係るガス貯留マスクでは、上記複数のシートは、第１シートおよび第２シートを含み、上記ガスを供給するガス供給経路のガス供給口を上記第１シートと上記第２シートとの間に接続する接続部をさらに備え、上記接続部は、上記ガス供給口を上記第１シートに対向させてもよい。
【０１７２】
上記の構成によれば、ガス供給口から供給されるガスは第１シートに向かって吹き出す。このため、第２シートのガス透過性が第１シートのガス透過性よりも高いものであったとしても、ガス供給口から供給されるガスは、第２シートよりも第１シートを透過し易くなる。それゆえ、第１シートがユーザの口側となるようにガス貯留マスクがユーザに装着された場合、ガス貯留マスクを用いた療法を効率的に行うことが可能となる。
【産業上の利用可能性】
【０１７３】
本発明は、在宅における酸素療法を含む酸素療法に利用することができる。
【符号の説明】
【０１７４】
１、１ａ〜１ｋ    酸素加給マスク（ガス貯留マスク）
２、２ａ〜２ｃ、２ｋ    第１シート
３、３ａ〜３ｄ、３ｉ、３ｋ    第２シート
１１    マスク本体
１２    繊維シート（第１シート）
１３    フィルムシート（第２シート）
４    ガス貯留部
５、５ａ〜５ｅ    ガス供給経路
６    ガス供給口
７    第３シート
７１〜７３、８、８ａ、８１    孔
１５    装着部
１６    ガス管（ガス供給経路）
９、９ａ、９ｃ    接続部
９ｂ  部材（接続部）
【図１】
0006594318.tif 000002
【図２】
0006594318.tif 000003
【図３】
0006594318.tif 000004
【図４】
0006594318.tif 000005
【図５】
0006594318.tif 000006
【図６】
0006594318.tif 000007
【図７】
0006594318.tif 000008
【図８】
0006594318.tif 000009
【図９】
0006594318.tif 000010
【図１０】
0006594318.tif 000011
【図１１】
0006594318.tif 000012
【図１２】
0006594318.tif 000013
【図１３】
0006594318.tif 000014
【図１４】
0006594318.tif 000015
【図１５】
0006594318.tif 000016
【図１６】
0006594318.tif 000017
【図１７】
0006594318.tif 000018
【図１８】
0006594318.tif 000019